(57)【特許請求の範囲】
【請求項１】
電線の端部に接続された端子が挿入される開口を有する箱状に形成された本体部と、前記本体部の開口を塞ぐ蓋体と、前記蓋体を前記本体部の開口に対して開閉自在に前記本体部に連結するヒンジと、前記本体部を構成する複数の側壁又は前記蓋体を構成する複数の周壁の何れか一方の相対する一対の壁の各々に非対称となるように設けられ且つ前記本体部の開口が前記蓋体で塞がれたときに前記本体部と前記蓋体とを係止する複数の係止部と、他方に設けられ且つ前記係止部が係止する係止突起と、を有し、前記端子を前記本体部内に収容する収容カバーにおいて、
前記複数の係止部のうちの何れか１つの前記係止部のみに対応して設けられて、前記ヒンジを中心に回動する前記係止部の移動軌跡から前記ヒンジに向かって逸脱する前記係止部の移動を規制する移動規制手段を有し、
前記移動規制手段が、前記他方に前記係止突起と別で設けられている
ことを特徴とする収容カバー。
【請求項２】
前記移動規制手段が、前記複数の係止部のうちの前記ヒンジから最も遠い前記係止部に対応して設けられていることを特徴とする請求項１に記載の収容カバー。
【請求項３】
請求項１又は２に記載の収容カバーと、端部に接続された前記端子が前記収容カバーに収容された電線と、を有することを特徴とする収容カバー付き電線。
【発明の詳細な説明】
【技術分野】
【０００１】
本発明は、例えば、自動車のエンジンのスタータモータなどに供給される電力が流れる相手側の端子に接続する端子を収容する収容カバー及び収容カバー付き電線に関するものである。
【背景技術】
【０００２】
例えば、自動車のエンジンのスタータモータなどには、他の機器よりも大きな電流が供給される。このため、前述したスタータモータなど大電流が流れる電子機器に設けられた端子と該端子に接続する端子との接続箇所は、絶縁性の収容カバーなどで覆われることが多い。
【０００３】
上述した収容カバーとしては、特許文献１等のものが知られている。例えば、図７，８に示す収容カバー１００は、電線２００の端末に接続した端子２０１を収容する箱状の本体部１１０と、該本体部１１０の開口１１１を塞ぐ蓋体１２０と、本体部１１０と蓋体１２０との間に介在して本体部１１０と蓋体１２０とを連結するヒンジ１３０と、を有している。
【０００４】
収容カバー１００は、ヒンジ１３０を中心として蓋体１２０を回動することで、本体部１１０の開口１１１を塞いだ閉状態（図７参照）から開口１１１を開放する開状態（図８参照）とにわたって変位自在となっている。そして、収容カバー１００は、２つの第１ロック部１４０と、２つの第２ロック部１５０と、を有しており、前記塞いだ状態のときに本体部１１０と蓋体１２０をロック（係止）する。
【０００５】
２つの第１ロック部１４０は、ヒンジ１３０が設けられた周壁１０１と相対する周壁１０２に並べて形成されている。そして、第１ロック部１４０の各々は、本体部１１０と蓋体１２０の一方側に設けられたロック突起１４１と、他方側に設けられたＵ字状のロックアーム１４２とを有している。また、２つの第２ロック部１５０は、ヒンジ１３０が設けられた周壁１０１と該周壁１０１に相対する周壁１０２の各々に設けられている。そして、２つの第２ロック部１５０は、収容カバー１００の中心軸と垂直に交わる直線上で対称的に配置されている。第２ロック部１５０の各々も、第１ロック部１４０と同様に、ロック突起１５１とロックアーム１５２とを有している。
【先行技術文献】
【特許文献】
【０００６】
【特許文献１】特開２００８−７１６５９号公報
【発明の概要】
【発明が解決しようとする課題】
【０００７】
上述した２つの第２ロック部１５０は、本体部１１０が方形状に形成されていたために、対称的に配置することが可能であった。しかしながら、収容カバー１００を取り付ける相手部材側の形状が特殊であったり、収容カバー１００内に収容する端子の形状が特殊である場合、本体部１１０の形状も変形させる必要が生じる。そして、変形した収容カバー１００の形状によっては、一対の相対する第２ロック部１５０を対照的に配置できず、非対称に配置しなければならない。
【０００８】
一対の第２ロック部１５０を非対称で相対する周壁１０１，１０２の各々に形成すると、ヒンジ１３０を中心に蓋体１２０を回動させた場合、ヒンジ１３０が合成樹脂で形成されているために、一方の第２ロック部１５０でロック突起１５１にロックアーム１５２が乗り上げてしまい、第２ロック部１５０をロック（嵌合）できなくなる、若しくは、ロックし難くなるという問題が生じていた。
【０００９】
よって本発明は、上述した問題点に鑑み、非対称に複数の係止部を配置しても、係止部を容易に係止することができる収容カバー及び収容カバー付き電線を提供することを課題としている。
【課題を解決するための手段】
【００１０】
上記課題を解決するため本発明によりなされた請求項１記載の収容カバーは、電線の端部に接続された端子が挿入される開口を有する箱状に形成された本体部と、前記本体部の開口を塞ぐ蓋体と、前記蓋体を前記本体部の開口に対して開閉自在に前記本体部に連結するヒンジと、前記本体部を構成する複数の側壁又は前記蓋体を構成する複数の周壁の何れか一方の相対する一対の壁の各々に非対称となるように設けられ且つ前記本体部の開口が前記蓋体で塞がれたときに前記本体部と前記蓋体とを係止する複数の係止部と、他方に設けられ且つ前記係止部が係止する係止突起と、を有し、前記端子を前記本体部内に収容する収容カバーにおいて、前記複数の係止部のうちの何れか１つの前記係止部のみに対応して設けられて、前記ヒンジを中心に回動する前記係止部の移動軌跡から前記ヒンジに向かって逸脱する前記係止部の移動を規制する移動規制手段を有し、前記移動規制手段が、前記他方に前記係止突起と別で設けられていることを特徴とする。
【００１１】
請求項２記載の発明は、請求項１に記載の収容カバーにおいて、前記移動規制手段が、前記複数の係止部のうちの前記ヒンジから最も遠い前記係止部に対応して設けられていることを特徴とする。
【００１２】
上記課題を解決するため本発明によりなされた請求項３記載の収容カバー付き電線は、請求項１又は２に記載の収容カバーと、端部に接続された前記端子が前記収容カバーに収容された電線と、を有することを特徴とする。
【発明の効果】
【００１３】
以上説明したように請求項１に記載した本発明によれば、本体部を構成する複数の側壁又は蓋体を構成する複数の周壁の何れか一方の相対する一対の壁の各々に非対称となるように複数の係止部を設ける場合に、該複数の係止部のうちの何れか１つの係止部のみに対応して、ヒンジを中心に回動する係止部の移動軌跡からヒンジに向かって逸脱する係止部の移動を規制する移動規制手段を設けるようにしたことから、ヒンジの捻れ等によって非対称に設けられた係止部が同じタイミングで係止されなくても、移動規制手段によって係止部の移動が規制されるため、係止部が係止できなくなる、係止し難くなるという問題を解消することができる。また、１つの係止部のみを移動規制手段に合わせればよいため、組み付け作業の向上を図ることができる。さらに、移動規制手段を係止部に対する一方側のみに形成するようにしたことから、係止部の他方側は開放されているため、両側に移動規制手段が形成されている場合よりも、組み付け作業を容易とすることができる。従って、非対称に複数の係止部を配置しても、係止部を容易に係止することができるという効果を奏する。
【００１４】
請求項２に記載の発明によれば、請求項１に記載の発明の効果に加え、移動規制手段を複数の係止部のうちのヒンジから最も遠い係止部に対応して設けるようにしたことから、該最も遠い係止部を移動規制手段に向かってヒンジを中心に回動させれば、近くの係止部で係止する作業時よりも、回同時及び係止時の負荷を小さくすることができるため、より一層の組み付け作業の向上を図ることができる。
【００１５】
以上説明したように請求項３に記載した本発明によれば、電線の端子を収容する収容カバーは、複数の係止部のうちの何れか１つの係止部に対応して、ヒンジを中心に回動する係止部の移動軌跡から前記ヒンジに向かって逸脱する係止部の移動を規制する移動規制手段を設けていることから、本体部を構成する複数の側壁の中の相対する一対の側壁の各々に複数の係止部を対称に設けることができなくても、移動規制手段によって係止部の移動が規制されるため、係止部が係止できなくなる、係止し難くなるという問題を解消することができる。また、移動規制手段を本体部の相対する一対の側壁の一方に設けているので、係止部の一方のみを移動形成手段に合わせればよいため、組み付け作業の向上を図ることができる。さらに、移動規制手段を係止部に対する一方側のみに形成するようにしたことから、係止部の他方側は開放されているため、両側に移動規制手段が形成されている場合よりも、組み付け作業を容易とすることができる。従って、収容カバーを取り付ける相手部材側の形状が特殊であっても、収容カバーをそれに対応した特殊形状に形成することができるため、収容カバー付き電線の配置に自由度を持たせることができる。また、電線の端部に設けられる端子が特殊な形状であっても、該端子に対応した形状に収容カバーを形成することができるとともに、収容カバーの共通化にも対応することができる。
【図面の簡単な説明】
【００１６】
【図１】本発明に係る収容カバー付き電線の開状態を示す斜視図である。
【図２】図１に示す収容カバー付き電線の第１収容カバーが開状態で第２収容カバーが閉状態を示す斜視図である。
【図３】図１中の第１収容カバーの開状態を示す側面図である。
【図４】図３に示す第１収容カバーの閉状態を示す側面図である。
【図５】第１収容カバーにおける係止部と移動規制手段との位置関係を説明するための図であり、（ａ）は上面図、（ｂ）は側面図を示している。
【図６】第１収容カバーの移動規制手段の一例を示す斜視図である。
【図７】従来の収容カバーの閉状態を示す斜視図である。
【図８】従来の収容カバーの開状態を示す斜視図である。
【発明を実施するための形態】
【００１７】
以下、本発明に係る収容カバーを有する収容カバー付き電線の実施形態の一例を、図１〜図６の図面を参照して説明する。
【００１８】
図１，２において、収容カバー付き電線１は、収容カバー２と、端部に接続された端子４が収容カバー２に収容される電線３と、を有して構成している。収容カバー付き電線１は、収容カバー２によって電線３の端子４が他部品と接触するのを防止すると共に、水・塵等から保護されている。
【００１９】
まず、電線３は、導電性の芯線と、該芯線を被覆する絶縁性の合成樹脂からなる被覆部と、を有している。電線３は、スタータモータなどの大電流が流れる電子機器に電力を供給する。なお、本実施形態では、電線３が所謂被覆電線である場合について説明するが、本発明はこれに限定するものではなく、例えば、複数の電線を束ねたワイヤハーネスとすることもできる。
【００２０】
端子４は、電気接続部４１と、該電気接続部４１に連なって電線３の端部に圧着される電線圧着部４２と、を有している。端子４は、電気接続部４１と電線圧着部４２が導電性の金属部材によって一体に形成されている。そして、電気接続部４１は、電線圧着部４２から延在された延在部４１ａと、該延在部４１ａから斜め方向に向かって立設した端子部４１ｂと、を有している。端子部４１ｂは、相手側のねじ軸（図示せず）を内側に通す孔４１ｃが形成されており、前記ねじ軸が通されて例えば端子台や相手側端子に重ねられて電気的に接続される。
【００２１】
電線圧着部４２は、電気接続部４１に連続した底面と、該底面の電線３の長手方向に沿った両側の縁部の各々から立設した一対のかしめ片と、を有している。一対のかしめ片は、皮むき処理が施された電線３の芯線を互いの間に位置付けるとともに、その先端部が互いに内向きに曲げられることにより該芯線をかしめて、該芯線と電気的に接続する。
【００２２】
次に、収容カバー２は、端子４の電気接続部４１を収容する第１収容カバー２Ａと、端子４の電線圧着部４２及び電線３の一部を収容する第２収容カバー２Ｂと、を有して構成している。収容カバー２は、第１収容カバー２Ａと第２収容カバー２Ｂとが非導電性の合成樹脂で一体に形成されている。なお、本実施形態では、収容カバー２を第１収容カバー２Ａと第２収容カバー２Ｂとに分けた場合について説明するが、上述した図７，８に示すように１つの収容カバーとしてもよい。
【００２３】
第１収容カバー２Ａは、本発明の収容カバーに相当している。第１収容カバー２Ａは、図１乃至図４に示すように、本体部２１と、蓋体２２と、ヒンジ２３と、一対の係止突起２４と、一対の係止部２５と、移動規制手段２６と、を有し、それらは非導電性の合成樹脂等によって一体に形成されている。
【００２４】
本体部２１は、図５，６に示すように、電線３の端部に接続された端子４が本体部２１内に挿入される開口２１ａを有する箱状に形成されている。本体部２１は、開口２１ａが約七角形となる形状に形成されている。本体部２１は、底板２１ｂと、該底板２１ｂの周縁から立設し且つその先端部にヒンジ２３が形成された第１側壁２１ｃと、該第１側壁２１ｃが延在する方向Ｘと交わる方向Ｙに沿って相対して設けられた一対の第２側壁２１ｄ，第３側壁２１ｅと、第１側壁の両端から第２側壁２１ｄ，第３側壁２１ｅの各々に連なった一対の第４側壁２１ｆと、を有している。
【００２５】
蓋体２２は、本体部２１の開口２１ａを塞ぐような形状で形成されている。蓋体２２は、図５，６に示すように、本体部２１の開口２１ａを塞いだ状態で本体部２１の底板２１ｂと相対する天井２２ａと、該天井２２ａの縁部から本体部２１に向かって立設する周壁２２ｂと、を有している。そして、周壁２２ｂは、第１周壁２２ｃと、第２周壁２２ｄと、第３周壁２２ｅと、一対の第４周壁２２ｆと、を有しており、それらは一体に形成されている。
【００２６】
第１周壁２２ｃは、本体部２１の第１側壁２１ｃに向かって天井２２ａから立設しており、ヒンジ２３によって第１側壁２１ｃと連なっている。第２周壁２２ｄ及び第３周壁２２ｅは、相対する本体部２１の第２側壁２１ｄに向かって天井２２ａから立設している。一対の第４周壁２２ｆは、相対する本体部２１の一対の第４側壁２１ｆの各々に向かって天井２２ａから立設している。
【００２７】
ヒンジ２３は、本体部２１の第１側壁２１ｃと蓋部２２の第１周壁２２ｃとに跨って形成されている。即ち、ヒンジ２３は、本体部２１の開口２１ａに対して蓋体２２を開閉自在に本体部２１に連結している。そして、本実施形態のヒンジ２３は、図３に示す本体部２１の開口２１ａを開放した開状態から、図４に示す本体部２１の開口２１ａを蓋体２２で塞いだ閉状態にわたって本体部２１又は蓋体２２の回動を、ヒンジ２３を中心に可能としている。
【００２８】
一対の係止突起２４は、本体部２１の相対する第２側壁２１ｄ及び第３側壁２１ｅの各々の外側の開口２１ａ寄りに、非対称となるように形成されている。なお、本発明の一対の係止突起２４が非対称であるとは、図５に示すように、第１側壁２１ｃと平行に延びる基準線Ｃ上に何れか一方の係止突起２４しか位置しない状態を意味している。そして、係止突起２４は、図１等に示すように、第２側壁２１ｄ又は第３側壁２１ｅの立設方向の断面が略三角形となる突起状に、第２側壁２１ｄ又は第３側壁２１ｅから外側に向かって突出している。
【００２９】
一対の係止部２５は、図５に示すように、一対の係止突起２４に対応した非対称となるように、蓋体２２の第２周壁２２ｄ及び第３周壁２２ｅの各々の外側の本体部２１寄りに形成されている。係止部２５は、係止突起２４と係止されるＵ字状のロックアームであり、基部２５ａと、該基部２５ａの両端から第２側壁２１ｄ又は第３側壁２１ｅの外側に沿って立設する一対のアーム２５ｂ，２５ｃと、を有している。そして、一対のアーム２５ｂ，２５ｃの間に係止突起２４が位置付けられて、係止突起２４と基部２５ａとが係止されることで、係止突起２４と係止部２５は係止される。
【００３０】
移動規制手段２６は、図３に示すように、一対の係止部２５のうちの何れか１つの係止部２５に対応した第３側壁２１ｅの外面に設けられて、ヒンジ２３を中心に回動する係止部２５の移動軌跡Ｌ１，Ｌ２から逸脱する係止部２５の移動を規制する。そして、移動軌跡Ｌ１，Ｌ２は、一対のアーム２５ｂ，ｃの内周と外周をそれぞれ示しており、ヒンジ２３を中心に回動した際の円周部と該円周部から係止突起２４に沿って延びる延在部とを有している。なお、本実施形態では、係止部２５の一対のアーム２５ｂ，２５ｃの各々に対応した移動軌跡Ｌ１，Ｌ２に着目して説明するが、これに代えて、ヒンジ２３を回動中心とした場合の係止部２５の移動軌跡Ｌ１のみに着目したり、係止部２５の中心の移動軌跡に着目するなどの種々異なる実施形態とすることができる。
【００３１】
移動規制手段２６は、図４に示すように、係止部２５が係止突起２４に係止されたときに、係止部２５のアーム２５ｂの延在方向に沿った方向に延びる柱状のリブとして、第３側壁２１ｅのヒンジ２３寄りに形成されている。本実施形態の移動規制手段２６は、ヒンジ２３を中心に回動している場合に、係止部２５が移動軌跡Ｌ１からヒンジ２３方向に逸脱する移動を規制している。さらに、移動規制手段２６は移動軌跡Ｌ１に沿ったリブとして形成していることから、係止部２５を係止突起２４に向けて誘導することができる。
【００３２】
なお、本実施形態では、移動規制手段２６を係止突起２４に沿って平行に延在させる場合について説明するが、本発明はこれに限定するものではなく、係止部２５の移動軌跡Ｌ１，Ｌ２に応じた方向（例えば斜め方向など）に延在させたり、係止部２５を突起状に形成するなど、係止部２５の移動を規制するものであれば、種々異なる実施形態とすることができる。
【００３３】
また、本実施形態では、図５に示すように、一対の係止部２５のうち、ヒンジ２３から最も遠い方の係止部２５に対応させて移動規制手段２６を設ける、即ち、その係止部２５が係止する係止突起２４が設けられた第３側壁２１ｅに移動規制手段２６を設ける場合について説明した。これに代えて、一対の係止部２５のうち、ヒンジ２３に近い方の係止部２５に対応させて移動規制手段２６を設ける、即ち、その係止部２５が係止する係止突起２４が設けられた第２側壁２１ｄに移動規制手段２６を設けてもよい。
【００３４】
以上説明した第１収容カバー２Ａによれば、蓋体２２を構成する複数の側壁の中の相対する一対の第２周壁２２ｄ及び第３周壁２２ｅの各々に非対称となるように複数の係止部２５を設ける場合に、該複数の係止部２５のうちの何れか１つの係止部２５に対応して、ヒンジ２３を中心に回動する係止部２５に移動軌跡Ｌ１，Ｌ２からヒンジ２３に向かって逸脱する係止部２５の移動を規制する移動規制手段２６を設けるようにしたことから、ヒンジの捻れ等によって非対称に設けられた係止が同じタイミングで係止されなくても、移動規制手段２６によって係止部２５の移動が規制されるため、係止部２５が係止できなくなる、係止し難くなるという問題を解消することができる。また、移動規制手段２６を本体部２１の第３側壁２１ｅに設けているので、係止部２５の一方のみを移動形成手段２６に合わせればよいため、組み付け作業の向上を図ることができる。さらに、移動規制手段２６を係止部２５に対する一方側のみに形成するようにしたことから、係止部２５の他方側は開放されているため、両側に移動規制手段２６が形成されている場合よりも、組み付け作業を容易とすることができる。従って、非対称に複数の係止部２５を配置しても、係止部２５を容易に係止することができるという効果を奏する。
【００３５】
また、移動規制手段２６を複数の係止部２５のうちのヒンジ２３から最も遠い係止部２５に対応して設けるようにしたことから、該最も遠い係止部２５を移動規制手段２６に向かってヒンジ２３を中心に回動させれば、近くの係止部２５で係止する作業時よりも、回同時及び係止時の負荷を小さくすることができるため、より一層の組み付け作業の向上を図ることができる。
【００３６】
次に、第２収容カバー２Ｂは、電線３の端末に接続した端子４の電線圧着部４２を収容する箱状の本体部２１０と、該本体部２１０の開口２１０ａを塞ぐ蓋体２２０と、本体部２１０と蓋体２２０との間に介在して本体部２１０と蓋体２２０とを連結する複数（図１中では２つ）のヒンジ２３０と、を有している。
【００３７】
第２収容カバー２Ｂは、ヒンジ２３０を中心として蓋体２２０を回動することで、本体部２１０の開口２１０ａを塞いだ閉状態（図１参照）から開口２１０ａを開放する開状態（図２参照）とにわたって回動自在となっている。そして、第２収容カバー２Ｂは、２つのロック突起２４０と、２つのロック部２５０と、を有しており、前記塞いだ閉状態のときに本体部２１０と蓋体２２０をロック突起２４０とロック部２５０によってロック（係止）する。
【００３８】
２つのロック突起２４０は、複数のヒンジ２３０が設けられた側壁２１１と相対する側壁２１２に形成されている。２つのロック部２５０は、複数のヒンジ２３０が設けられた周壁２２１と相対する周壁２２２に並べて形成されている。そして、２つのロック突起２４０と２つのロック部２５０は、第２収容カバー２Ｂの中心軸と垂直に交わる直線上で対称的に配置されている。そして、蓋体２２０は、ヒンジ２３０を中心に回動されて、本体部２１０の開口２１０ａを塞いだ閉状態になると、２つのロック部２５０が２つのロック突起２４０に係止される。
【００３９】
次に、上述した構成の収容ケース付き電線１の組み付け例を、図１乃至図４の図面を参照して以下に説明する。
【００４０】
まず、図１に示すように、第２収容カバー２Ｂの本体部２１０の開口２１０ａから電線３の端子４を挿入して、電気接続部４１を第１収容カバー２Ａの本体部２１内に開口２１ａから収容すると共に、電線圧着部４２を本体部２１０内の収容位置に収容する。そして、第２収容カバー２Ｂの蓋体２２０をヒンジ２３０を中心に回動させて、本体部２１０の開口２１０ａを蓋体２２０で塞ぎ、２つのロック部２５０と２つのロック突起２４０を係止して、図２に示すように、端子４を本体部２１０内に収容した状態で本体部２１０と蓋体２２０をロックする。これにより、端子４の電気接続部４１は、第１収容カバー２Ａの本体部２１内の所定の収容位置に位置付けられ、第２収容カバー２Ｂの蓋体２２０の端部に設けられた当接部２６０が当接して、電線３の長手方向に対する移動が規制されている。
【００４１】
続いて、第１収容カバー２Ａのヒンジ２３を中心に蓋体２２を回動させて、複数の係止部２５の各々を複数の係止突起２４に近づけると、１つの係止部２５のアーム２５ｂが本体部２１の移動規制手段２６に沿って移動することになる。このとき、係止部２５にヒンジ２３に向かう移動軌跡Ｌ１，Ｌ２から逸脱する方向への力が加わると、移動規制手段２６によってその移動は規制されるため、係止部２５が移動軌跡Ｌ１，Ｌ２から逸脱するのを防止できる。そして、係止部２５を移動規制手段２６に沿うように、蓋体２２をさらに回動させて２つの係止突起２４と係止部２５を係止させることで、本体部２１の開口２１ａは蓋体２２によって塞がれる。これにより、第１収容カバー２Ａの内部に端子４の電気接続部４１が収容され、第２収容カバー２Ｂの内部に端子４の電線圧着部４２が収容され、電線圧着部４２に接続された電線３が第２収容カバー２Ｂの外部に導出された状態の収容カバー付き電線３が完成する。
【００４２】
以上説明した収容カバー付き電線１によれば、電線３を収容する第１収容カバー２Ａは、複数の係止部２５のうちの何れか１つの係止部２５に対応して、ヒンジ２３を中心に回動する係止部２５の移動軌跡Ｌ１，Ｌ２からヒンジ２３に向かって逸脱する係止部２５の移動を規制する移動規制手段２６を設けていることから、本体部２１を構成する複数の側壁の中の相対する一対の側壁の各々に複数の係止部２５を非対称に係止する場合でも、移動規制手段２６によって係止部２５の移動が規制されるため、係止部２５が係止できなくなる、係止し難くなるという問題を解消することができる。また、移動規制手段２６を本体部２１の相対する一対の側壁の一方に設けているので、係止部２５の一方のみを移動形成手段２６に合わせればよいため、組み付け作業の向上を図ることができる。さらに、移動規制手段２６を係止部２５に対する一方側のみに形成するようにしたことから、係止部２５の他方側は開放されているため、両側に移動規制手段２６が形成されている場合よりも、組み付け作業を容易とすることができる。従って、第２収容カバー２Ａを取り付ける相手部材側の形状が特殊であっても、第２収容カバー２Ａをそれに対応した特殊形状に形成することができるため、収容カバー付き電線１の配置に自由度を持たせることができる。また、電線３の端部に設けられる端子４が特殊な形状であっても、該端子４に対応した形状に第２収容カバー２Ａを形成することができるとともに、収容カバー２の共通化にも対応することができる。
【００４３】
なお、上述した実施形態では、第２収容カバー２Ａの蓋体２２の一対の第２周壁２２ｄ及び第３周壁２２ｅの各々に１対１で係止部２５を設ける場合について説明した。これに代えて、例えば、第２周壁２２ｄ及び第３周壁２２ｅに１対２、２対１、２対２、等の割合で係止部２５を配置することもできる。そして、この場合の移動規制手段２６の配置は、ヒンジ２３から最も遠い係止部２５に対応させて本体部２１に形成するのが望ましい。
【００４４】
また、上述した実施形態では、第２収容カバー２Ａの本体部２１に係止突起２４及び移動規制手段２６、蓋体２２に係止部２５をそれぞれ形成する場合について説明したが、本体部２１に係止部２５を形成し、蓋体２２に係止突起２４及び移動規制手段２６を形成する実施形態とすることもできる。
【００４５】
さらに、上述した実施形態では、Ｕ字状の係止部２５と突状の係止突起２４を係止させる場合について説明したが、これに代えて、フック状の係止部と該係止部の端部に形成したフック部を本体部の係止穴に係止するなどの種々異なる実施形態とすることができる。
【００４６】
また、図７，８の第２ロック部１５０に示すように、上述した実施形態の第２収容カバー２Ｂにおける２つの係止部２４０を周壁２２１と相対する周壁２２２の各々に形成する場合、例えば、ヒンジ２３０から遠い、複数のヒンジ２３０が設けられた側壁２１１と相対する側壁２１２に本発明の移動規制手段を形成することで、上述した本発明の効果を得ることができる。
【００４７】
このように上述した実施例は本発明の代表的な形態を示したに過ぎず、本発明は、実施形態に限定されるものではない。即ち、本発明の骨子を逸脱しない範囲で種々変形して実施することができる。
【符号の説明】
【００４８】
１    収容カバー付き電線
２    収容カバー
２Ａ    第１収容カバー（収容カバー）
３    電線
４    端子
２１    本体部
２２    蓋体
２３    ヒンジ
２４    係止突起
２５    係止部
２６    移動規制手段
【図１】
0005621137.tif 000002
【図２】
0005621137.tif 000003
【図３】
0005621137.tif 000004
【図４】
0005621137.tif 000005
【図５】
0005621137.tif 000006
【図６】
0005621137.tif 000007
【図７】
0005621137.tif 000008
【図８】
0005621137.tif 000009